(57)【特許請求の範囲】
【請求項１】
ＨＤＭＩ接続されたカメラから伝送されたＨＤＭＩ信号に基づき、前記カメラ側のオーディオクロック信号を生成するＨＤＭＩレシーバと、
入力音声信号をデジタル変換及び符号化して記憶手段に記憶する信号処理部と、
前記ＨＤＭＩレシーバで生成された前記オーディオクロック信号が前記信号処理部に対応した所定周波数のときに前記信号処理部のマスタクロック信号として前記オーディオクロック信号を供給し、前記オーディオクロック信号が存在しない場合あるいは前記オーディオクロック信号が前記信号処理部に対応した所定周波数でない場合に前記信号処理部のマスタクロック信号として内蔵クロック信号を供給する制御部と、
を備えることを特徴とするカメラ接続型録音装置。
【請求項２】
請求項１記載のカメラ接続型録音装置において、さらに、
前記オーディオクロック信号と前記内蔵クロック信号の位相を一致させる位相同期回路と、
を備えることを特徴とするカメラ接続型録音装置。
【請求項３】
請求項２記載のカメラ接続型録音装置において、
前記オーディオクロック信号は、ＬＲＣＫ信号である
ことを特徴とするカメラ接続型録音装置。
【請求項４】
請求項１記載のカメラ接続型録音装置において、さらに、
前記カメラ側の前記オーディオクロック信号に同期させるか否かを設定する設定手段と、
を備え、
前記制御部は、前記設定手段で同期が設定されていない場合に前記マスタクロック信号として前記内蔵クロック信号を供給し、前記ＨＤＭＩレシーバの電源をＯＦＦ制御する
ことを特徴とするカメラ接続型録音装置。
【発明の詳細な説明】
【技術分野】
【０００１】
本発明は、カメラ接続型録音装置に関し、特にクロック信号の制御に関する。
【背景技術】
【０００２】
デジタル一眼レフカメラあるいはミラーレス一眼カメラ等では静止画のみならず動画を録画できることが一般的となっている。但し、動画録画時の音声の録音品質に関しては、未だ十分なレベルとなっていない。
【０００３】
そこで、デジタル一眼レフカメラあるいはミラーレス一眼カメラのユーザの中には、カメラで動画を録画するとともに、音声については専用の録音装置を用いて録音し、その後にパソコン等を用いて動画データと音声データをミキシングして、高画質かつ高音質な動画を作成するユーザが存在している。
【０００４】
但し、この場合には、各機器それぞれの内蔵クロックの差による動画データと音声データの時間誤差が問題となり得る。例えば、カメラ側で＋２０ｐｐｍ、録音装置側で−２０ｐｐｍのクロック誤差を有している場合、それぞれの機器で２４時間録画、録音したとすると、実際には、
カメラ側：２３時間５９分５８秒
録音装置側：２４時間００分０２秒
の時間だけ録画、録音され、時間の経過と共にそのずれ量が増大してしまう。従って、それぞれの機器のクロック信号を同期させる必要が生じる。
【０００５】
特許文献１には、映像信号を出力する撮像素子を一体型としたレンズユニットが交換可能なカメラシステムが記載されており、レンズユニットが接続される本体ユニットに、音声データを取得する音声入力手段と、レンズユニットから出力される同期信号を入力する同期信号入力手段を備え、動画記録を行う場合に、レンズユニットから出力される同期信号に同期させて音声データを記録することが記載されている。
【０００６】
特許文献２には、マスター機器から供給されるワードクロックに基づいてスレーブ機器のマスタクロックを発生し、マスター機器から供給されるトリガ信号に基づいてスレーブ機器のマスタクロックをマスター機器から供給されるワードクロックと一致するように調整することが記載されている。
【０００７】
特許文献３には、マスター機器とスレーブ機器とをＵＳＢケーブルで接続し、送信データ又は受信データに所定の周期で含まれる特定のパケットに同期するオーディオクロックを生成して動作クロックとすることにより、録音時のマスター機器とスレーブ機器との同期を図ることが記載されている。
【先行技術文献】
【特許文献】
【０００８】
【特許文献１】特許第５３５９７９７号
【特許文献２】特開２００１−３５１３６６号公報
【特許文献３】特開２０１０−１６５４０３号公報
【発明の概要】
【発明が解決しようとする課題】
【０００９】
ところで、カメラで動画を録画するとともに、音声を専用の録音装置で録音する場合、カメラと録音装置をＨＤＭＩ（登録商標）で接続することが考えられる。ＨＤＭＩ（High-Definition Multimedia Interface）では、映像・音声・制御信号を1本のケーブルで伝送できるため、機器間の配線を簡略化できるからであり、これによりカメラ側のシャッタ操作に連動させて録音装置側を起動することも可能となる。
【００１０】
そして、カメラと録音装置をＨＤＭＩ接続した場合、ＨＤＭＩ接続を用いてカメラ側と録音装置側のクロック信号を同期させることができれば好都合である。上記従来技術には、カメラと録音装置がＨＤＭＩ接続されることを前提として、ＨＤＭＩ信号を用いてクロック信号の同期を実現することは開示されていない。
【００１１】
なお、ＨＤＭＩにはＴＭＤＳ（Transition Minimized Differential Signaling）信号が含まれ、このＴＭＤＳ信号からクロック信号を生成することが可能であるためこのクロック信号をカメラ側と録音装置側で共に用いることも考えられるが、録音装置側の内蔵クロックとの整合性や、ＨＤＭＩレシーバの仕様との整合性が問題となり得る。
【００１２】
本発明の目的は、カメラとＨＤＭＩ（有線あるいは無線を問わず）接続する場合に、カメラ側のクロック信号と同期したクロック信号で音声を録音することができるカメラ接続型録音装置を提供することにある。
【課題を解決するための手段】
【００１３】
本発明は、ＨＤＭＩ接続されたカメラから伝送されたＨＤＭＩ信号に基づき、前記カメラ側のオーディオクロック信号を生成するＨＤＭＩレシーバと、入力音声信号をデジタル変換及び符号化して記憶手段に記憶する信号処理部と、前記ＨＤＭＩレシーバで生成された前記オーディオクロック信号が前記信号処理部に対応した所定周波数のときに前記信号処理部のマスタクロック信号として前記オーディオクロック信号を供給し、前記オーディオクロック信号が存在しない場合あるいは前記オーディオクロック信号が前記信号処理部に対応した所定周波数でない場合に前記信号処理部のマスタクロック信号として内蔵クロック信号を供給する制御部とを備えることを特徴とする。
【００１４】
本発明の１つの実施形態では、さらに、前記オーディオクロック信号と前記内蔵クロック信号の位相を一致させる位相同期回路とを備える。
【００１５】
本発明の他の実施形態では、前記オーディオクロック信号は、ＬＲＣＫ信号である。
【００１６】
本発明のさらに他の実施形態では、さらに、前記カメラ側の前記オーディオクロック信号に同期させるか否かを設定する設定手段を備え、前記制御部は、前記設定手段で同期が設定されていない場合に前記マスタクロック信号として前記内蔵クロック信号を供給し、前記ＨＤＭＩレシーバの電源をＯＦＦ制御する。
【発明の効果】
【００１７】
本発明によれば、カメラとＨＤＭＩ接続する場合にカメラ側のクロック信号と同期したクロック信号で音声を録音することができる。これにより、カメラ側と録音装置の内蔵クロックの差による動画データと音声データの時間誤差を解消できる。
【図面の簡単な説明】
【００１８】
【図１】第１実施形態の構成ブロック図である。
【図２】第１実施形態のマスタクロック信号の切替説明図である。
【図３】第１実施形態の詳細構成ブロック図である。
【図４】第１実施形態の処理フローチャートである。
【図５】第２実施形態のマスタクロック信号の切替説明図である。
【図６】第２実施形態の詳細構成ブロック図である。
【図７】第２実施形態のタイミングチャートである。
【発明を実施するための形態】
【００１９】
以下、図面に基づき本発明の実施形態について説明する。
【００２０】
＜第１実施形態＞
図１は、本実施形態の録音装置１０をカメラ１２に接続した状態の構成図である。カメラ１２は、デジタル一眼レフカメラやミラーレス一眼カメラ等であり、録音装置１０と有線あるいは無線のＨＤＭＩで接続される。本実施形態では、録音装置１０とカメラ１２がＨＤＭＩケーブルで接続される場合を例示する。
【００２１】
録音装置１０は、ＰＣＭレコーダであり、音声信号を非可逆圧縮しないリニアＰＣＭ：ＷＡＶフォーマットで記録する。但し、ＭＰ３等の非可逆圧縮形式に対応していてもよい。録音装置１０は、構成ブロックとして、設定部１０１、ＣＰＵ１０２、ＨＤＭＩレシーバ１０３、オーディオＣＯＤＥＣ１０４及び表示部１０５を備える。
【００２２】
設定部１０１は、カメラ１２及び録音装置１０のユーザが録音装置１０の電源や各種設定を入力するために操作する。本実施形態では、特に、録音装置１０のクロック信号をカメラ１２側のクロック信号に同期させる場合に操作する。ユーザは、同期させる場合には設定部１０１を同期ＯＮに設定し、同期させない場合には設定部１０１を同期ＯＦＦに設定する。
【００２３】
ＣＰＵ１０２は、録音装置１０の各部を制御する。ＣＰＵ１０２は、後述するＨＤＭＩレシーバ１０３とＩ２Ｃバスで接続され、ＨＤＭＩレシーバ１０３で受信したＨＤＭＩ情報を取得するとともに、ＣＥＣコマンド（接続された機器同士をコントロールするためのコマンド）を制御する。本実施形態では、ＣＰＵ１０２は、特に、音声信号処理に用いるクロックを、内蔵クロック信号とするか、あるいはＨＤＭＩクロック信号とするかを決定する。ここで、ＨＤＭＩクロック信号は、ＨＤＭＩレシーバ１０３で生成されるマスタクロック信号を意味する。
【００２４】
ＨＤＭＩレシーバ１０３は、ＨＤＭＩケーブルを介してカメラ１２から伝送されたＴＭＤＳ  ＣＨ−０信号、ＴＭＤＳ  ＣＨ−１信号、ＴＭＤＳ  ＣＨ−２信号、ＴＭＤＳクロック（ＣＬＯＣＫ）信号から、ＬＲＣＫ信号、ＢＣＬＫ（又はＳＣＬＫ）信号、データ信号、及びＭＣＬＫ信号を出力する。ＬＲＣＫ信号は、期間中のデータがＬｅｆｔ（ＣＨ−１）かＲｉｇｈｔ（ＣＨ−２）かを示す信号で、ローレベルでＬｅｆｔ、ハイレベルでＲｉｇｈｔを示す。ＢＣＬＫ信号は、データをサンプリングしてレベルを判断する基準となるクロックで、立ち上がりエッジで信号レベルをラッチする。データ信号は、アナログオーディオ信号をデジタル化した信号である。ＭＣＬＫ信号は、カメラ１２側のオーディオクロック信号であり、マスタクロック信号である。ＨＤＭＩレシーバ１０３は、これらの信号をＣＰＵ１０２の制御下にオーディオＣＯＤＥＣ１０４に供給する。
【００２５】
オーディオＣＯＤＥＣ１０４は、音声信号に対し、ＡＤ変換、符号化を含む各種処理を実行し、ＣＰＵ１０２を経由して半導体メモリ等に記憶して録音する。また、メモリに記憶された音声データをＣＰＵ１０２を経由して読み出し、復号化及びＤＡ変換して、アナログ音声信号として出力する。
【００２６】
ＣＰＵ１０２は、オーディオＣＯＤＥＣにおける処理を行う際のマスタクロック信号として、内蔵クロック信号を用いるか、あるいはＨＤＭＩクロック信号を用いるかを決定してオーディオＣＯＤＥＣ１０４に供給する。すなわち、ユーザが設定部１０１を操作してカメラ１２側との同期を求める場合には、所定条件が成立するときにＨＤＭＩクロック信号をオーディオＣＯＤＥＣ１０４に供給してカメラ１２側のクロック信号とオーディオＣＯＤＥＣ１０４のクロック信号を同期させる。他方、ユーザが設定部１０１を操作してカメラ１２側との同期を求めない場合や、同期を求めても所定の条件が成立しないときに内蔵クロック信号をオーディオＣＯＤＥＣ１０４に供給する。
【００２７】
表示部１０５は、ＨＤＭＩクロック信号を用いてカメラ１２側との同期を確立しているか否かの状態を表示する。具体的には、カメラ１２側に同期している場合には
「ＨＤＭＩ  ＬＯＣＫ」
と表示し、同期していない場合には
「ＨＤＭＩ  ＵＮＬＯＣＫ」
と表示する。
【００２８】
図２は、録音装置１０でのマスタクロック信号の切替を模式的に示す説明図である。
【００２９】
ＨＤＭＩレシーバ１０３は、カメラ１２側のオーディオクロック信号であるＭＣＬＫ信号を切替ＳＷに出力する。また、ＣＰＵ１０２は、内蔵クロック信号ＣＬＫを切替ＳＷに出力する。ＣＰＵ１０２は、ＨＤＭＩレシーバ１０３からのＨＤＭＩ情報を受信し、ＨＤＭＩレシーバ１０３からのＭＣＬＫ信号が所定の条件を満たしているか否かを判定する。そして、満たしていない場合には、切替ＳＷをＣＰＵ１０２側に切り替えて、ＣＰＵ１０２からの内蔵クロック信号をマスタクロック信号としてオーディオＣＯＤＥＣ１０４に供給する。他方、所定の条件を満たしている場合には、切替ＳＷをＨＤＭＩレシーバ１０３側に切り替えてＨＤＭＩレシーバ１０３からのＭＣＬＫ信号をマスタクロック信号としてオーディオＣＯＤＥＣ１０４に供給する。オーディオＣＯＤＥＣ１０４は、供給されたマスタクロック信号を用いて入力音声信号をデジタル変換、符号化処理してメモリに記憶することで録音する。ここで、所定の条件とは、
・ユーザが設定部１０１を操作してＨＤＭＩ同期ＯＮを設定したこと
・ＨＤＭＩレシーバ１０３からのＭＣＬＫ信号をＬＯＣＫしたこと
・ＭＣＬＫ信号の周波数が所定周波数であること
である。マスタクロック信号の所定周波数は、オーディオＣＯＤＥＣ１０４でデジタル変換や符号化処理するための周波数であり、例えばＣＤ系、ＤＶＤ系のサンプリング周波数である４４．１ｋＨｚや４８ｋＨｚ、あるいはその系統を定数倍（１２８倍、２５６倍、５１２倍等）した周波数となる。
【００３０】
図３は、ＣＰＵ１０２及びＨＤＭＩレシーバ１０３を含む録音装置１０の詳細構成図である。
【００３１】
ＣＰＵ１０２は、フラッシュメモリ１１０及びＳＤＲＡＭ１１１をプログラムメモリ及びワーキングメモリとして処理を実行する。また、ＣＰＵ１０２は、ＳＤカードコネクタ１１２に接続され、ＳＤカードコネクタ１１２に装着されたＳＤカードメモリに音声データを記憶する。
【００３２】
また、ＨＤＭＩコネクタ１１３及びＨＤＭＩレシーバ１０３が設けられる。ＨＤＭＩコネクタ１１３には、ＨＤＭＩケーブルの一端が接続され、ＨＤＭＩケーブルの他端にはカメラ１２が接続される。
【００３３】
ＨＤＭＩレシーバ１０３は、ＣＰＵ１０２とＩ２Ｃバスで接続される。ＨＤＭＩレシーバ１０３は、カメラ１２側からＴＭＤＳ信号を受信し、ＤＡＴＡ信号、ＬＲＣＫ信号、ＢＣＬＫ信号、及びＭＣＬＫ信号を生成して出力する。ソース機器とシンク機器をＨＤＭＩで接続した場合に、シンク機器においてソース機器のオーディオクロック信号を生成する技術は公知である。すなわち、オーディオクロック周波数とＴＭＤＳクロック周波数から決まるＮ値とＣＴＳ値をブランキング期間中にソース機器からシンク機器に伝送し、シンク機器においてＴＭＤＳクロックを基準にしてＮ，ＣＴＳ値から元のオーディオクロック信号（ＭＣＬＫ信号）を再生すればよい。
【００３４】
ＭＣＬＫ信号は、切替ＳＷ１２１に供給される。切替ＳＷ１２１は、図２における切替ＳＷに相当するものであり、その切替接点の一端はオーディオＣＯＤＥＣ１０４に接続され、他端はＣＰＵ１０２とＨＤＭＩレシーバ１０３のいずれかに選択的に接続される。切替ＳＷ１２１のＣＰＵ１０２側の接点は、切替ＳＷ１２０を介してＣＰＵ１０２のクロック端子ＣＬＫＢＵＦに接続される。ＣＰＵ１０２のクロックイン端子ＣＬＫＩＮにはクロック信号２４．０００ＭＨｚが供給され、このクロック信号を１／２分周した１２．０００ＭＨｚ信号と、１１．２８９６ＭＨｚの信号のいずれかが切替ＳＷ１２０で選択的にＣＰＵ１０２側のマスタクロック信号として切替ＳＷ１２１に供給される。従って、切替ＳＷ１２１の接点をＣＰＵ１０２側に切り替えると、ＣＰＵ１０２からの１２．０００ＭＨｚ信号あるいは１１．２８９６ＭＨｚ信号のいずれかがマスタクロック信号としてオーディオＣＯＤＥＣ１０４に供給され、切替ＳＷ１２１の接点をＨＤＭＩレシーバ１０３側に切り替えると、ＨＤＭＩレシーバ１０３からのＭＣＬＫ信号がマスタクロック信号としてオーディオＣＯＤＥＣ１０４に供給される。切替ＳＷ１２１の接点は、ＣＰＵ１０２により制御される。
【００３５】
また、ＢＣＬＫ信号、ＬＲＣＫ信号、ＤＡＴＡ信号は、それぞれ切替ＳＷ１２２，１２３，１２４を介してＣＰＵ１０２に供給される。半導体メモリから読み出された音声データは、Ｉ２Ｓで  ＤＡ  ＤＡＴＡ１及びＤＡ  ＤＡＴＡ２としてＣＰＵ１０２からオーディオＣＯＤＥＣ１０４に出力される。Ｉ２Ｓは、ＩＣ間でデジタルオーディオデータをシリアル転送するための規格である。録音装置１０で録音する場合、カメラ１２から伝送された映像データ及び音声データは必要ないが、必要に応じてこれらをメモリに記憶してもよい。
【００３６】
ＣＰＵ１０２は、設定部１０１でＨＤＭＩ同期が設定されている場合に、ＨＤＭＩレシーバで生成されたＭＣＬＫ信号の周波数が所定の周波数、すなわちオーディオＣＯＤＥＣ１０４の符号化等で用いられるクロック周波数に合致しているか否かを判定し、合致している場合には切替ＳＷ１２１の接点をＨＤＭＩレシーバ１０３側に切り替えてオーディオＣＯＤＥＣ１０４のクロックをカメラ１２側のクロックに同期させる。他方、設定部１０１でＨＤＭＩ同期が設定されていない場合や、ＨＤＭＩ同期が設定されていてもＭＣＬＫ信号の周波数が所定の周波数に一致しない場合は、切替ＳＷ１２１の接点をＣＰＵ１０２側に切り替えてオーディオＣＯＤＥＣ１０４のクロックを録音装置１０の内蔵クロックとする。ここで、内蔵クロックを切替ＳＷ１２０で切り替えているのは、ＣＤ系の４４．１ｋＨｚのサンプリング周波数と、ＤＶＤ系の４８ｋＨｚのサンプリング周波数に対応するためである。１１．２８９６ＭＨｚが４４．１ｋＨｚに対応し、１２．０００ＭＨｚが４８ｋＨｚに対応する。
【００３７】
図４は、本実施形態の録音装置１０の処理フローチャートである。なお、初期状態では、切替ＳＷ１２１の接点がＣＰＵ１０２側に切り替えられ、内蔵クロック信号がオーディオＣＯＤＥＣ１０４に供給されるものとする。
【００３８】
まず、録音装置１０のＣＰＵ１０２は、設定部１０１の設定がＨＤＭＩ同期ＯＮに設定されているか否かを判定する（Ｓ１０１）。
【００３９】
ＨＤＭＩ同期ＯＮに設定されている場合、次に、ＨＤＭＩレシーバ１０３からのＭＣＬＫ信号がＬＯＣＫされたか否かを判定する（Ｓ１０２）。ＬＯＣＫされた（ＭＣＬＫ信号が再生されて継続的に出力された）場合、さらにそのＭＣＬＫ信号の周波数が、所定周波数であるか否かを判定する（Ｓ１０３）。所定周波数は、既述したように例えば４４．１ｋＨｚや４８ｋＨｚ，あるいはその系統を定数倍した周波数である。
【００４０】
ＭＣＬＫ信号の周波数が所定周波数である場合、ＣＰＵ１０２は、オーディオＣＯＤＥＣ１０４のマスタクロック信号としてＨＤＭＩクロック信号、すなわちＨＤＭＩレシーバ１０３からのＭＣＬＫ信号に切り替える（Ｓ１０４）。そして、表示部１０５に、「ＨＤＭＩ  ＬＯＣＫ」を表示する（Ｓ１０５）。ユーザは、表示部１０５の表示を視認することで、録音装置１０のクロック信号がカメラ１２側のクロック信号と同期していることを知ることができる。
【００４１】
他方、Ｓ１０２でＬＯＣＫされていない場合、及びＬＯＣＫされていても所定周波数以外である場合には、ＣＰＵ１０２は、オーディオＣＯＤＥＣ１０４に供給するマスタクロック信号を内蔵クロック信号のままとする（Ｓ１０７）。そして、表示部１０５に「ＨＤＭＩ  ＵＮＬＯＣＫ」を表示する（Ｓ１０８）。ユーザは、この表示を視認することで、録音装置１０とカメラ１２との同期が確立しておらず、両クロック信号の時間誤差によりずれが生じ得ることを認識できる。勿論、ユーザが単に音声のみを録音する場合や、映像とは別個に音声を録音する場合には、時間誤差は問題とならない。
【００４２】
因みに、ＨＤＭＩレシーバ１０３には、出力オーディオクロック信号の周波数を指定できるタイプと、指定できないタイプが存在する。出力オーディオクロック信号の周波数を指定できるタイプでは、その周波数を所定周波数に予め設定しておけばＳ１０３の条件を常に満たすことが可能であるが、出力オーディオクロック信号の周波数を指定できないタイプでは、所定周波数を満たすか否か不明となる。ここに、Ｓ１０３でＨＤＭＩレシーバ１０３からのオーディオクロック信号の周波数がオーディオＣＯＤＥＣ１０４の所定周波数の条件を満たすか否かを判定する意義がある。カメラ１２側が固定の周波数しか出力できない場合でも、Ｓ１０３の判定処理により内蔵クロック信号を用いるかカメラ１２側のクロック信号を用いるかを適応的に決定できる。
【００４３】
なお、設定部１０１を操作してＨＤＭＩ同期ＯＮに設定しても、ＨＤＭＩクロックがＵＮＬＯＣＫの場合、あるいは所定周波数でない場合にはオーディオＣＯＤＥＣ１０４のマスタクロック信号を内蔵クロック信号のままとするが、この場合には表示部１０５に「ＨＤＭＩ  ＵＮＬＯＣＫ」と表示されるため、ユーザは、設定部１０１をＨＤＭＩ同期ＯＮとしたままでも内蔵クロック信号により動作していることを正しく認識できる。
【００４４】
また、設定部１０１がＨＤＭＩ同期ＯＦＦに設定された場合には（Ｓ１０１でＯＦＦ）、ＣＰＵ１０２は、ＨＤＭＩレシーバ１０３の電源をＯＦＦにして消費電力を削減する（Ｓ１０６）。ＨＤＭＩレシーバ１０３の電源をＯＦＦしても、オーディオＣＯＤＥＣ１０４は、ＨＤＭＩレシーバ１０３で受信した音声データを処理するのではなく、図示しないマイクから入力した音声信号を処理するため問題ない。すなわち、本実施形態では、ＨＤＭＩレシーバ１０３を、カメラ１２側のオーディオクロック信号を受信して再生する機能部として用いるといえる。そして、この場合も、オーディオＣＯＤＥＣ１０４のマスタクロック信号を内蔵クロック信号とし（Ｓ１０７）、表示部１０５に「ＨＤＭＩ  ＵＮＬＯＣＫ」を表示する（Ｓ１０８）。
【００４５】
＜第２実施形態＞
第１実施形態では、設定部１０１で同期のＯＮ／ＯＦＦを設定しているが、設定部１０１を省略し、録音装置１０とカメラ１２が有線あるいは無線のＨＤＭＩで接続されている場合に、常に同期させるように動作してもよい。また、第１実施形態では、ＨＤＭＩレシーバ１０３からのＭＣＬＫ信号をマスタクロック信号として用いているが、ＭＣＬＫ信号もＬＲＣＫ信号もともにクロック信号として機能することから、ＨＤＭＩレシーバ１０３からのＬＲＣＫ信号をマスタクロック信号として用いてもよい。ＬＲＣＫ信号は、既述したように、期間中のデータがＬｅｆｔ（ＣＨ−１）かＲｉｇｈｔ（ＣＨ−２）かを示す信号であり、ローレベルでＬｅｆｔ、ハイレベルでＲｉｇｈｔを示す信号である。
【００４６】
図５は、本実施形態における録音装置１０でのマスタクロック信号の切替を模式的に示す説明図である。
【００４７】
ＨＤＭＩレシーバ１０３は、カメラ１２側のオーディオクロック信号であるＬＲＣＫ信号を切替ＳＷに出力する。また、内蔵クロック１０６は、内蔵クロック信号ＣＬＫを切替ＳＷに出力する。ＣＰＵ１０２は、ＨＤＭＩレシーバ１０３からのＨＤＭＩ情報を受信し、ＨＤＭＩレシーバ１０３からのＬＲＣＫ信号が所定の条件を満たしているか否かを判定する。そして、満たしていない場合には、切替ＳＷを内蔵クロック１０６（あるいはＣＰＵ１０２）側に切り替えて、内蔵クロック信号ＣＬＫを元に生成されたクロック信号をマスタクロック信号としてオーディオＰＬＬ回路１３８を介してオーディオＣＯＤＥＣ１０４に供給する。他方、所定の条件を満たしている場合には、切替ＳＷをＨＤＭＩレシーバ１０３側に切り替えてＨＤＭＩレシーバ１０３からのＬＲＣＫ信号を元に生成されたクロック信号をマスタクロック信号としてオーディオＰＬＬ回路１３８を介してオーディオＣＯＤＥＣ１０４に供給する。オーディオＣＯＤＥＣ１０４は、供給されたマスタクロック信号を用いて入力音声信号をデジタル変換、符号化処理してメモリに記憶することで録音する。所定の条件とは、
・ＨＤＭＩレシーバ１０３からのＬＲＣＫ信号をＬＯＣＫしたこと
・ＬＲＣＫ信号の周波数が所定周波数であること
である。所定周波数は、オーディオＣＯＤＥＣ１０４でデジタル変換や符号化処理するための周波数であり、例えばＣＤ系、ＤＶＤ系のサンプリング周波数である４４．１ｋＨｚ、４８ｋＨｚ、９６ｋＨｚのいずれかである。もちろん、所定周波数はこれに限定されるものではなく、機器の仕様によって、３２ｋＨｚであったり４４．１ｋＨｚや４８ｋＨｚを定数倍した周波数であってもよい。第１実施形態では、所定の条件にユーザが設定部１０１を操作してＨＤＭＩ同期ＯＮを設定したことが含まれているが、本実施形態ではかかる条件は含まれない。すなわち、ＨＤＭＩレシーバ１０３からのＬＲＣＫ信号がＬＯＣＫされ、その周波数が所定周波数である場合には常にＬＲＣＫ信号をマスタクロック信号としてオーディオＣＯＤＥＣ１０４に供給する。
【００４８】
なお、録音装置１０とカメラ１２の間のＨＤＭＩ接続が遮断された場合、マスタクロック信号はＬＲＣＫ信号から内蔵クロック側に切り替わることになるが、両者の位相がずれているときにはオーディオＣＯＤＥＣ１０４での処理に不具合が生じるおそれがあるため、切替ＳＷの後段に位相同期回路（ＰＬＬ）を設け、ＬＲＣＫ信号と内蔵クロック側の信号の位相を同期させることが好適である。このことは、本実施形態のみならず第１実施形態においても同様である。
【００４９】
図６は、ＣＰＵ１０２、内蔵クロック１０６及びＨＤＭＩレシーバ１０３を含む録音装置１０の詳細構成図である。
【００５０】
録音装置１０は、ＨＤＭＩ入力端子（ＨＤＭＩＩＮ）１３０、ＨＤＭＩ出力端子（ＨＤＭＩＯＵＴ）１３２、ＨＤＭＩレシーバ１０３、ＨＤＭＩトランスミッタ１４０、ＣＰＵ１０２、内蔵クロック１０６、ＣＰＬＤ（コンプレックスプログラマブルロジックデバイス）１３４、オーディオＣＯＤＥＣ１０４、及びオーディオ位相同期（ＰＬＬ）回路１３８を備える。
【００５１】
ＨＤＭＩ入力端子１３０は、ＨＤＭＩケーブルを介してカメラ１２と接続される。
【００５２】
ＨＤＭＩレシーバ１０３は、ＨＤＭＩケーブルを介してカメラ１２から伝送されたＴＭＤＳ信号、ＴＭＤＳクロック信号から、ＬＲＣＫ信号、ＢＣＬＫ（又はＳＣＬＫ）信号、データ信号、及びＭＣＬＫ信号を出力する。ＨＤＭＩレシーバ１０３は、Ｉ２Ｃバスで接続されたＣＰＵ１０２の制御の下に、ＬＲＣＫ信号をＣＰＬＤ１３４に供給する。
【００５３】
他方、内蔵クロック１０６からの内蔵クロック信号ＣＬＫもＣＰＬＤ１３４に供給される。例えば、内蔵クロック１０６から１９．２ＭＨｚの信号を出力し、これをＣＰＬＤ内で分周して内蔵クロック信号ＣＬＫを元にしたＰＬＬ基準クロック信号（例えば、１５３．６ｋＨｚ）を生成する。
【００５４】
ＣＰＬＤ１３４は、切替ＳＷ１３５を備え、ＨＤＭＩレシーバ１０３からのＬＲＣＫ信号と内蔵クロック１０６からの内蔵クロック信号ＣＬＫを元に生成したＰＬＬ基準クロック信号を切り替える。切替ＳＷ１３５は、ＨＤＭＩレシーバからのＬＲＣＫ信号が存在する場合にはＨＤＭＩレシーバ側の接点に自動的に切替え、ＨＤＭＩレシーバからのＬＲＣＫ信号が存在しない場合には内蔵クロック側の接点に自動的に切り替える。ＨＤＭＩレシーバからのＬＲＣＫ信号あるいはＰＬＬ基準クロック信号は、オーディオＰＬＬ回路１３８に供給される。なお、ＣＰＬＤ１３４は、ＬＲＣＫの周波数を検出するクロックカウンタを備え、クロックカウンタで検出されたＬＲＣＫ信号の周波数が所定周波数でない場合にも、切替ＳＷ１３５はＬＲＣＫ信号が存在しない場合と同様に内蔵クロック側の接点に切り替える。
【００５５】
オーディオＰＬＬ回路１３８は、ＨＤＭＩレシーバからのＬＲＣＫ信号あるいはＰＬＬ基準クロック信号の位相を同期させてオーディオ用のマスタクロック信号を生成する。ＰＬＬ回路は公知であり、位相比較器、ループフィルタ、ＶＣＯ（電圧制御可変発振器）あるいはＶＣＸＯ（電圧制御水晶発振器）、及び分周器から構成され、入力信号と出力信号の位相を同期させる。
【００５６】
オーディオＰＬＬ回路１３８は、オーディオ用マスタクロック信号をＣＰＬＤ１３４に供給する。
【００５７】
ＣＰＬＤ１３４は、オーディオ用マスタクロック信号をオーディオＣＯＤＥＣ１０４及びＨＤＭＩトランスミッタ１４０に供給する。また、オーディオ用マスタクロック信号より生成されたＬＲＣＫ信号、ＳＣＬＫ信号をＨＤＭＩトランスミッタ１４０及びオーディオＣＯＤＥＣ１０４に供給する。
【００５８】
ＨＤＭＩトランスミッタ１４０は、ＨＤＭＩレシーバ１０３からのデータ信号、ビデオ用ピクセルクロック信号及びビデオ用同期信号、ＣＰＬＤ１３４からのＬＲＣＫ信号、ＳＣＬＫ信号、ＭＣＬＫ信号を元に生成したＴＤＭＳ信号をＨＤＭＩ出力端子１３２に供給する。
【００５９】
ＨＤＭＩレシーバ１０３からＬＲＣＫ信号が供給された場合、内蔵クロック１０６からのＰＬＬ基準クロック信号ではなくＨＤＭＩレシーバ１０３からのＬＲＣＫ信号が選択され、オーディオＰＬＬ回路１３８で位相同期されてオーディオ用マスタクロック信号としてオーディオＣＯＤＥＣ１０４及びＨＤＭＩトランスミッタ１４０に供給される。他方、ＨＤＭＩレシーバ１０３からＬＲＣＫ信号が供給されない場合（ＬＲＣＫ信号の周波数が所定周波数でない場合も含む）、ＰＬＬ基準クロック信号が選択され、オーディオＰＬＬ回路１３８で位相同期されてオーディオ用マスタクロック信号としてオーディオＣＯＤＥＣ１０４に供給される。
【００６０】
オーディオＣＯＤＥＣ１０４は、第１実施形態と同様に、音声信号に対し、ＡＤ変換、符号化を含む各種処理を実行し、ＣＰＵ１０２を経由してＳＤＲＡＭ１１１等の半導体メモリに記憶して録音する。また、ＳＤＲＡＭ１１１等に記憶された音声データをＣＰＵ１０２を経由して読み出し、復号化及びＤＡ変換してアナログ音声信号として出力する。
【００６１】
このように、本実施形態では、切替ＳＷ１３５の後段にＰＬＬ回路１３８を設けて位相を同期させることにより、切替ＳＷ１３５において接点が切り替わり、オーディオ用マスタクロック信号の元となる信号がＨＤＭＩレシーバ側ＬＲＣＫ信号とＰＬＬ基準クロック信号の間で切り替わったとしても、位相を追従させてオーディオＣＯＤＥＣ１０４での処理を確実に実行し得る。
【００６２】
図７は、内蔵クロック信号ＣＬＫに基づくオーディオ用マスタクロック信号（内部クロック）、ＨＤＭＩレシーバ側ＬＲＣＫ信号に基づくオーディオ用マスタクロック信号（外部クロック）の切替前後のタイミングチャートを示す。また、比較のため、ＰＬＬ回路により位相同期しない場合（直接切り替えた場合）の切替前後のタイミングチャートを示す。時刻ｔ１において内蔵クロック信号ＣＬＫからＬＲＣＫ信号に切り替わった場合、ＰＬＬ回路がない場合には時刻ｔ１において位相が不連続的に変化してしまう。これに対し、ＰＬＬ回路を用いた場合には、時刻ｔ２において自然に調相されており、本実施形態では切替前後において位相（クロックの連続性）が維持されるのが分かる。
【００６３】
以上、本発明の実施形態について説明したが、本発明はこれに限定されるものではなく、種々の変更が可能である。
【００６４】
例えば、第１実施形態に係る図４の処理フローチャートにおいて、ＨＤＭＩケーブルが接続されているか否かを判定し、ＨＤＭＩケーブルが接続されていない場合にはオーディオＣＯＤＥＣ１０４のマスタクロック信号を内蔵クロック信号に切り替えてもよい。この場合もＨＤＭＩレシーバ１０３の電源をＯＦＦにするのが望ましい。第２実施形態についても同様である。
【００６５】
また、ＨＤＭＩレシーバ１０３のタイプが既知である場合、すなわち、ＨＤＭＩレシーバ１０３の出力オーディオクロック信号を指定できることが既知である場合、Ｓ１０３の判定処理を省略してもよい。
【００６６】
さらに、第２実施形態において、ＣＰＬＤ１３４がＭＣＬＫセレクタを備え、オーディオＰＬＬ回路１３８からのオーディオ用マスタクロック信号（すなわちＬＲＣＫ信号から生成されたオーディオ用マスタクロック信号）と、ＨＤＭＩレシーバ１０３からのＭＣＬＫ信号を切り替えてオーディオＣＯＤＥＣ１０４に供給する構成としてもよい。
【符号の説明】
【００６７】
１０  録音装置、１２  カメラ、１０１  設定部、１０２  ＣＰＵ、１０３  ＨＤＭＩレシーバ、１０４  オーディオＣＯＤＥＣ、１０５  表示部、１３０  ＨＤＭＩ入力端子、１３２  ＨＤＭＩ出力端子、１３４  ＣＰＬＤ（コンプレックスプログラマブルロジックデバイス）、１３５  切替ＳＷ（スイッチ）、１３８  オーディオＰＬＬ回路、１４０  ＨＤＭＩトランスミッタ。
【図１】
0006547550.tif 000002
【図２】
0006547550.tif 000003
【図３】
0006547550.tif 000004
【図４】
0006547550.tif 000005
【図５】
0006547550.tif 000006
【図６】
0006547550.tif 000007
【図７】
0006547550.tif 000008